(57)【要約】例えば回路交換ネットワークおよびパケット交換ネットワークのような異なるタイプのネットワークへアクセス可能なモバイル・デバイスが開示される。回路交換されたコールが、パケット交換ネットワークへハンドオーバされるべきであるとモバイル・デバイスが判定した場合、動的なアンカー・メカニズムが起動される。
2009534943.tif 000002
【特許請求の範囲】
【請求項１】
少なくとも２つのネットワークを介して通信することが可能なモバイル・デバイスに関連付けられたセッションを処理する方法であって、
回線交換ネットワークに関連付けられたアクティブな回路交換セッション中に、前記アクティブな回路交換セッションが、前記回路交換ネットワークからパケット交換ネットワークへとハンドオフされるべきかを、少なくとも１つのハンドオフ条件に基づいて判定することと、
前記少なくとも１つのハンドオフ条件のうちの１つが満たされる場合、前記アクティブな回路交換セッションが、前記パケット交換ネットワークにアンカーされるべきであることを示すことと
を備える方法。
【請求項２】
前記アクティブな回路交換セッションが、前記パケット交換ネットワークにアンカーされるべきであることを示すことは、前記パケット交換ネットワークにトリガ信号を送ることを備える請求項１に記載の方法。
【請求項３】
前記パケット交換ネットワークを介してパケット交換セッションを確立することを更に備える請求項１に記載の方法。
【請求項４】
前記パケット交換セッションは、前記アクティブな回路交換セッションと置き換わるために使用される請求項３に記載の方法。
【請求項５】
前記アクティブな回路交換セッションをドロップすることを更に備える請求項４に記載の方法。
【請求項６】
前記パケット交換セッションは、セッション開始プロトコル（ＳＩＰ）コールＩＤあるいは別のＳＩＰヘッダのうちの少なくとも１つを用いて認識される請求項４に記載の方法。
【請求項７】
前記モバイル・デバイスは、セルラ／ＷｉＦｉハンドセットである請求項１に記載の方法。
【請求項８】
回線交換ネットワークに関連付けられたアクティブな回路交換セッション中に、前記アクティブな回路交換セッションが、前記回路交換ネットワークからパケット交換ネットワークへとハンドオフされるべきかを、少なくとも１つのハンドオフ条件に基づいて判定し、前記少なくとも１つのハンドオフ条件のうちの１つが満たされる場合、前記アクティブな回路交換セッションが、前記パケット交換ネットワークにアンカーされるべきであることを示すように構成されたプロセッサと、
前記プロセッサに接続され、データを格納するためのメモリと
を備えるモバイル・デバイス。
【請求項９】
前記プロセッサは更に、前記パケット交換ネットワークを介してパケット交換セッションを確立するように構成された請求項８に記載のモバイル・デバイス。
【請求項１０】
前記パケット交換セッションは、前記アクティブな回路交換セッションと置き換わるために使用される請求項９に記載のモバイル・デバイス。
【請求項１１】
前記プロセッサは更に、前記アクティブな回路交換セッションをドロップするように構成された請求項１０に記載のモバイル・デバイス。
【請求項１２】
前記パケット交換セッションは、セッション開始プロトコル（ＳＩＰ）コールＩＤあるいは別のＳＩＰヘッダのうちの少なくとも１つを用いて認識される請求項１０に記載のモバイル・デバイス。
【請求項１３】
前記モバイル・デバイスは、セルラ／ＷｉＦｉハンドセットである請求項８に記載のモバイル・デバイス。
【請求項１４】
無線通信システムにおいて動作可能な装置であって、
回線交換ネットワークに関連付けられたアクティブな回路交換セッション中に、前記アクティブな回路交換セッションが、前記回路交換ネットワークからパケット交換ネットワークへとハンドオフされるべきかを、少なくとも１つのハンドオフ条件に基づいて判定する手段と、
前記少なくとも１つのハンドオフ条件のうちの１つが満たされる場合、前記アクティブな回路交換セッションが、前記パケット交換ネットワークにアンカーされるべきであることを示す手段と
を備える装置。
【請求項１５】
前記アクティブな回路交換セッションが、前記パケット交換ネットワークにアンカーされるべきであることを示す手段は、前記パケット交換ネットワークへトリガ信号を送る手段を備える請求項１４に記載の装置。
【請求項１６】
前記パケット交換ネットワークによってパケット交換セッションを確立する手段を更に備える請求項１４に記載の装置。
【請求項１７】
前記パケット交換セッションは、前記アクティブな回路交換セッションと置き換わるために使用される請求項１６に記載の装置。
【請求項１８】
前記アクティブな回路交換セッションをドロップする手段を更に備える請求項１７に記載の装置。
【請求項１９】
前記パケット交換セッションは、セッション開始プロトコル（ＳＩＰ）コールＩＤあるいは別のＳＩＰヘッダのうちの少なくとも１つを用いて認識される請求項１７に記載の装置。
【請求項２０】
前記装置は、セルラ／ＷｉＦｉハンドセットである請求項１４に記載の装置。
【請求項２１】
そこに格納された命令群を含むコンピュータ読取可能媒体であって、前記命令群は、
回線交換ネットワークに関連付けられたアクティブな回路交換セッション中に、前記アクティブな回路交換セッションが、前記回路交換ネットワークからパケット交換ネットワークへとハンドオフされるべきかを、少なくとも１つのハンドオフ条件に基づいて判定するための第１の命令セットと、
前記少なくとも１つのハンドオフ条件のうちの１つが満たされる場合、前記アクティブな回路交換セッションが、前記パケット交換ネットワークにアンカーされるべきであることを示すための第２の命令セットと
を備えるコンピュータ読取可能媒体。
【請求項２２】
前記アクティブな回路交換セッションが、前記パケット交換ネットワークにアンカーされるべきであることを示すための前記第２の命令は、前記パケット交換ネットワークへトリガ信号を送るための第３の命令セットを備える請求項２１に記載のコンピュータ読取可能媒体。
【請求項２３】
前記パケット交換ネットワークによってパケット交換セッションを確立するための第３の命令セットを更に備える請求項２１に記載のコンピュータ読取可能媒体。
【請求項２４】
前記パケット交換セッションは、前記アクティブな回路交換セッションと置き換わるために使用される請求項２３に記載のコンピュータ読取可能媒体。
【請求項２５】
前記アクティブな回路交換セッションをドロップするための第４の命令セットを更に備える請求項２４に記載のコンピュータ読取可能媒体。
【請求項２６】
前記パケット交換セッションは、セッション開始プロトコル（ＳＩＰ）コールＩＤあるいは別のＳＩＰヘッダのうちの少なくとも１つを用いて認識される請求項２４に記載のコンピュータ読取可能媒体。
【請求項２７】
セッションを処理する方法であって、
アクティブな回路交換セッションが、パケット交換ネットワークへハンドオフされるべきであるとの表示を受け取ることと、
前記アクティブな回路交換セッションが前記パケット交換ネットワークへハンドオフされるように前記アクティブな回路交換セッションをアンカーすることと
を備える方法。
【請求項２８】
パケット交換セッションを行うことを更に備え、
前記パケット交換セッションは、前記アクティブな回路交換セッションと置き換わるために使用される請求項２７に記載の方法。
【請求項２９】
前記パケット交換セッションは、セッション開始プロトコル（ＳＩＰ）コールＩＤあるいは別のＳＩＰヘッダのうちの少なくとも１つを用いて認識される請求項２８に記載の方法。
【請求項３０】
前記アクティブな回路交換セッションは、音声コール連続性アプリケーション・サーバ（ＶＣＣ  ＡＳ）によってアンカーされる請求項２７に記載の方法。
【請求項３１】
セッションを処理する装置であって、
アクティブな回路交換セッションが、パケット交換ネットワークへハンドオフされるべきであるとの表示を受け取り、前記アクティブな回路交換セッションが前記パケット交換ネットワークへハンドオフされるように前記アクティブな回路交換セッションをアンカーするように構成されたプロセッサと、
前記プロセッサに接続され、データを格納するためのメモリと
を備える装置。
【請求項３２】
前記プロセッサは更に、パケット交換セッションを行うように構成され、
前記パケット交換セッションは、前記アクティブな回路交換セッションと置き換わるために使用される請求項３１に記載の装置。
【請求項３３】
前記パケット交換セッションは、セッション開始プロトコル（ＳＩＰ）コールＩＤあるいは別のＳＩＰヘッダのうちの少なくとも１つを用いて認識される請求項３２に記載の装置。
【請求項３４】
前記アクティブな回路交換セッションは、音声コール連続性アプリケーション・サーバ（ＶＣＣ  ＡＳ）によってアンカーされる請求項３１に記載の装置。
【請求項３５】
無線通信システムで動作可能な装置であって、
アクティブな回路交換セッションが、パケット交換ネットワークへハンドオフされるべきであるとの表示を受け取る手段と、
前記アクティブな回路交換セッションが前記パケット交換ネットワークへハンドオフされるように前記アクティブな回路交換セッションをアンカーする手段と
を備える装置。
【請求項３６】
パケット交換セッションを行う手段を更に備え、
前記パケット交換セッションは、前記アクティブな回路交換セッションと置き換わるために使用される請求項３５に記載の装置。
【請求項３７】
前記パケット交換セッションは、セッション開始プロトコル（ＳＩＰ）コールＩＤあるいは別のＳＩＰヘッダのうちの少なくとも１つを用いて認識される請求項３６に記載の装置。
【請求項３８】
前記アクティブな回路交換セッションは、音声コール連続性アプリケーション・サーバ（ＶＣＣ  ＡＳ）によってアンカーされる請求項３５に記載の装置。
【請求項３９】
そこに格納された命令群を含むコンピュータ読取可能媒体であって、前記命令群は、
アクティブな回路交換セッションが、パケット交換ネットワークへハンドオフされるべきであるとの表示を受け取るための第１の命令セットと、
前記アクティブな回路交換セッションが前記パケット交換ネットワークへハンドオフされるように前記アクティブな回路交換セッションをアンカーするための第２の命令セットと
を備えるコンピュータ読取可能媒体。
【請求項４０】
パケット交換セッションを行うための第３の命令セットを更に備え、
前記パケット交換セッションは、前記アクティブな回路交換セッションと置き換わるために使用される請求項３９に記載のコンピュータ読取可能媒体。
【請求項４１】
前記パケット交換セッションは、セッション開始プロトコル（ＳＩＰ）コールＩＤあるいは別のＳＩＰヘッダのうちの少なくとも１つを用いて認識される請求項４０に記載のコンピュータ読取可能媒体。
【請求項４２】
前記アクティブな回路交換セッションは、音声コール連続性アプリケーション・サーバ（ＶＣＣ  ＡＳ）によってアンカーされる請求項３９に記載のコンピュータ読取可能媒体。
【発明の詳細な説明】
【技術分野】
【０００１】
本開示は、一般に、通信に関し、特に、少なくとも２つの異なるタイプの通信ネットワークを経由して通信することが可能なモバイル通信デバイスをサポートするシステムおよび方法に関する。
【背景技術】
【０００２】
無線情報サービスに対する需要は、ますます多くの無線ネットワークの開発に結びついた。ＣＤＭＡ２０００  １ｘは、広域電話通信およびデータ・サービスを提供する無線ネットワークの単なる１つの例である。ＣＤＭＡ２０００  １ｘは、符号分割多元接続（ＣＤＭＡ）技術を使用する第３世代パートナシップ計画２（３ＧＰＰ２）によって発布された無線規格である。ＣＤＭＡは、複数のユーザがスペクトラム拡散処理を使用して、共通の通信媒体を共有することを可能にする技術である。ヨーロッパで一般に使用され、競合する無線ネットワークは、グローバル移動体通信システム（ＧＳＭ）である。ＣＤＭＡ２０００  １ｘと異なり、ＧＳＭは、無線電話とデータ・サービスとをサポートするために狭帯域時分割多元接続（ＴＤＭＡ）を使用する。その他の幾つかの無線ネットワークは、電子メール・アプリケーションおよびウェブ・ブラウジング・アプリケーションに適切なデータ・レートで高速データ・サービスをサポートする汎用パケット無線システム（ＧＰＲＳ）と、オーディオ・アプリケーションおよびビデオ・アプリケーションのために広帯域音声およびデータを配信できるユニバーサル移動体通信システム（ＵＭＴＳ）とを含んでいる。他のアクセス技術は、ＥＶ−ＤＯおよび高速ダウンリンク・パケット・アクセス（ＨＳＤＰＡ）を含む。
【０００３】
これらの無線ネットワークは一般に、セルラ技術を使用する広域ネットワークと見なすことができる。セルラ技術は、地理的な有効範囲領域がセルへ分割されるトポロジーに基づく。これら各セルの内部には、モバイル・ユーザと通信する固定式の基地トランシーバ局（ＢＴＳ）が存在する。ＢＴＳを制御し、かつ、様々なパケット交換ネットワークおよび回路交換ネットワークのための適切なゲートウェイへ通信をルートするために、地理的な有効範囲領域において一般に基地局コントローラ（ＢＳＣ）が適用される。
【０００４】
無線情報サービスに対する需要が増加し続けているので、モバイル・デバイスは、回路交換ネットワーク（例えば、回路交換セルラ・ネットワーク）とパケット交換ネットワーク（例えば、パケット交換セルラ・ネットワーク、無線ＬＡＮ等）との間にシームレスなネットワーク有効範囲を提供しながら、音声とデータとストリーミングとが統合されたメディアをサポートするように発展している。無線ＬＡＮ（ＷＬＡＮ）は、例えばＩＥＥＥ８０２．１１等のような標準的なプロトコルを用いて、比較的小さな地理的領域にわたって電話サービスおよびデータ・サービスを提供することができる。無線ＬＡＮの存在は、無線ＬＡＮのインフラストラクチャを使用して、無免許のスペクトルまでセルラ通信を拡張することにより、広域セルラ・ネットワーク内のユーザ容量を増加させるユニークな機会を提供する。
【０００５】
最近、モバイル・デバイスを、例えばパケット交換ネットワークおよび回線交換ネットワークのような異なる無線ネットワークと通信することを可能にするために、様々な技術が適用された。従って、現在、回路交換ネットワークを介してモバイル・デバイスによって起動されたセッションが、パケット交換ネットワークへハンドオフされねばならない例が存在する。セッションは、単純な２方式の通話、協調的なマルチメディア・カンファレンス・セッション等でありうる。従って、ネットワークのリソースを効率的に利用する方法でそのようなハンドオフを達成するためのニーズが存在する。
【発明の開示】
【０００６】
（関連出願への相互参照）  
本願は、その全体が本明細書に参照によって組み込まれており、“Dynamic Anchoring of CS Calls for CS-to-VoIP Handoffs”と題された２００６年４月１９日出願の米国仮出願６０／７９３，４０５号の出願日の利益を要求する。
【発明の概要】
【０００７】
１つの局面では、少なくとも２つのネットワークによって通信することができるモバイル・デバイスに関連付けられたセッションを処理する方法が提供される。回路交換ネットワークに関連付けられたアクティブな回路交換セッション中、アクティブな回路交換セッションが、少なくとも１つのハンドオフ条件に基づいて、回路交換ネットワークからパケット交換ネットワークへとハンドオフされるべきかが判定される。少なくとも１つのハンドオフ条件のうちの１つが満たされる場合、アクティブな回路交換セッションが、パケット交換ネットワーク内でアンカーされるべきであることが示される。
【０００８】
別の局面では、モバイル・デバイスが開示される。モバイル・デバイスは、プロセッサと、プロセッサに接続され、データを格納するためのメモリとを含む。プロセッサは、回路交換ネットワークに関連付けられたアクティブな回路交換セッション中、少なくとも１つのハンドオフ条件に基づいて、アクティブな回路交換セッションが、回路交換ネットワークからパケット交換ネットワークへハンドオフされるべきであるかが判定される。プロセッサは更に、少なくとも１つのハンドオフ条件のうちの１つが満足される場合、アクティブな回路交換セッションが、パケット交換ネットワークにアンカーされるべきであることを示すように構成される。
【０００９】
別の局面では、無線通信システムにおいて動作可能な装置が提供される。この装置は、回路交換ネットワークに関連付けられたアクティブな回路交換セッション中、少なくとも１つのハンドオフ条件に基づいて、このアクティブな回路交換セッションが、回路交換ネットワークからパケット交換ネットワークへとハンドオフされるべきかを判定する手段と、少なくとも１つのハンドオフ条件が満足される場合、アクティブな回路交換セッションが、パケット交換ネットワークにアンカーされるべきであることを示す手段とを含む。
【００１０】
更なる局面では、そこに格納された命令群を含むコンピュータ読取可能媒体が提供される。この命令群は、回路交換ネットワークに関連付けられたアクティブな回路交換セッション中、少なくとも１つのハンドオフ条件に基づいて、アクティブな回路交換セッションが、回路交換ネットワークからパケット交換ネットワークへハンドオフされるべきかを判定するための第１の命令セットと、少なくとも１つのハンドオフ条件が満足される場合、アクティブな回路交換セッションが、パケット交換ネットワークにアンカーされるべきであることを示すための第２の命令セットとを含む。
【００１１】
更なる局面では、セッションを処理する方法が提供される。アクティブな回路交換セッションが、パケット交換ネットワークへハンドオフされるべきとの表示が受信される。アクティブな回路交換セッションは、パケット交換ネットワークへハンドオフされることができるようにアンカーされる。
【００１２】
更なる局面では、セッションを処理する装置が開示される。この装置は、プロセッサと、このプロセッサに接続され、データを格納するためのメモリとを含む。このプロセッサは、アクティブな回路交換セッションがパケット交換ネットワークへハンドオフされるべきであるとの表示を受信し、パケット交換ネットワークへハンドオフされるように、アクティブな回路交換セッションをアンカーするように構成される。
【００１３】
更なる局面では、無線通信システムにおいて動作可能な装置が提供される。この装置は、アクティブな回路交換セッションがパケット交換ネットワークへハンドオフされるべきであるとの表示を受信する手段と、パケット交換ネットワークへハンドオフされるように、アクティブな回路交換セッションをアンカーする手段とを含む。
【００１４】
更なる局面では、そこに格納された命令群を含むコンピュータ読取可能媒体が提供される。これら命令群は、アクティブな回路交換セッションがパケット交換ネットワークへハンドオフされるとの表示を受信するための第１の命令セットと、パケット交換ネットワークへハンドオフできるように、アクティブな回路交換セッションをアンカーするための第２の命令セットとを含む。
【００１５】
本開示の他の実施形態が、一例として、本開示の幾つかの実施形態のみが示され記述された以下の詳細記述から、当業者に容易に明らかになることが理解されるべきである。理解されるように、本開示は、全て本開示の精神および範囲から逸脱することなく、その他および別の実施形態も可能であり、その幾つかの詳細は、その他様々な局面における変形が可能である。従って、図面および詳細記述は、その本質において例示的であり、限定的ではないと見なされる。
【詳細な説明】
【００１６】
無線通信システムの種々な局面が、添付図面において、限定ではなく、一例として例示される。
【００１７】
添付図面と関連して以下に記載された詳細説明は、本開示の様々な実施形態の記述として意図されており、本開示が実現される唯一の実施形態を示すとは意図されていない。この詳細説明は、本開示の完全な理解を提供することを目的とした具体的な詳細を含む。しかしながら、本開示はこれら具体的な詳細なしで実現されうることが、当業者に明らかになるであろう。幾つかの事例では、周知の構成および構成要素が、本開示の概念を不明瞭にしないために、ブロック図形式で示される。
【００１８】
以下の詳細な説明では、様々な技術が、あるネットワークから別のネットワークへのモバイル・ユーザのハンドオフに関連付けられて記述される。これら多くの技術は、セルラ有効範囲領域にわたって分散している１または複数の無線ＬＡＮおよび／またはパケット交換（ＰＳ）セルラ・ネットワークを有する回路交換（ＣＳ）セルラ・ネットワークを移動するモバイル・デバイスまたは移動局（ＭＳ）に関して記述される。モバイル・デバイスは、複数の通信プロトコルを含みうる。例えば、モバイル・デバイスは、従来のセルラ通信のみならず、電子メール、インターネット・アクセスを提供する多機能デバイスでありうる。モバイル・デバイスは、例えば以下の技術を利用する広域無線接続を装備しうる。第３世代無線システムまたはセルラ・システム（３Ｇ）、ＩＥＥＥ  ８０２．１６（ＷｉＭａｘ）、および、定義されたその他の無線広域ネットワーク（ＷＷＡＮ）技術。一方、ＩＥＥＥ８０２．１１ベースの無線ローカル・エリア・ネットワーク（無線ＬＡＮ）接続も同様にモバイル・デバイスにインストールされうる。近い将来、超広帯域（ＵＷＢ）及び／又はＢｌｕｅｔｏｏｔｈ（登録商標）ベースの無線パーソナル・エリア・ネットワーク（ＷＰＡＮ）のローカル接続もまた、モバイル・デバイスにおいて利用可能になるかもしれない。モバイル・デバイスは、例えば、ＣＤＭＡ２０００  １ｘネットワークでの動作のために設計されたセルラ電話のように、無線電話通信またはデータ通信が可能な任意の適切なデバイスでありうる。モバイル・デバイスは、一例としてＩＥＥＥ８０２．１１を含む無線ＬＡＮにアクセスするために、任意の適切なプロトコルを適用することが可能でありうる。これらの技術は、ＩＥＥＥ８０２．１１ネットワークと通信することが可能なセルラ電話に関連して記述されているが、当業者であれば、これらの技術が、複数のネットワークにアクセスすることが可能なその他のモバイル通信デバイスへ拡張可能であることを容易に理解するであろう。例えば、これらの技術は、ＣＤＭＡ２０００ネットワークとＧＳＭ／ＵＭＴＳネットワークとを切り換えること、または、回路交換セルラ・ネットワークとＷｉＭａｘネットワークとを切り換えることとが可能なモバイル通信デバイスへ適用されうる。従って、ＩＥＥＥ８０２．１１ネットワークと通信することが可能なセルラ電話、あるいはその他任意の特定の実施形態に対するどのような参照も、これらの局面が広範囲の用途を持っているとの理解の下、本開示の様々な局面を例示することのみが意図されている。
【００１９】
図１Ａは、無線通信システムの実施形態の概念ブロック図である。モバイル・デバイス１０２は、一連の破線によって広域セルラ・ネットワーク１０４を移動していることが示される。セルラ・ネットワーク１０４は、セルラ有効範囲領域の至る所に分布した多くのＢＴＳ１０８をサポートするＢＳＣ１０６を含む。説明を簡単にするために、図１Ａでは、単一のＢＴＳ１０８が示される。公衆交換電話網（ＰＳＴＮ）１１２へゲートウェイを提供するためにモバイル交換局（ＭＳＣ）１１０が使用されうる。図１Ａに示されていないが、セルラ・ネットワーク１０４は、セルラ・ネットワーク１０４の地理的範囲を拡張するために、それぞれが任意の数のＢＴＳをサポートする多くのＢＳＣを適用することができる。複数のＢＳＣがセルラ・ネットワーク１０４全体にわたって使用される場合、ＭＳＣ１１０を、ＢＳＣ間の通信を調整するために使用することもできる。
【００２０】
１または複数の無線ＬＡＮが、セルラ・ネットワーク１０４のセルラ有効範囲領域内に分布しうる。モバイル・デバイス１０２と通信することが可能な様々なパケット交換ネットワークのうちの任意の例として、単一の無線ＬＡＮ１１４が示されている。無線ＬＡＮ１１４は、ＩＥＥＥ８０２．１１ネットワーク、あるいはその他の適切なネットワークでありうる。無線ＬＡＮ１１４は、ＩＰネットワーク１１８と通信するために、モバイル・デバイス１０２のためのアクセス・ポイント１１６を含んでいる。サーバ１２０は、ＩＰネットワーク１１８をＭＳＣ１１０へ接続するために使用することができる。ＭＳＣ１１０は、ＰＳＴＮ１１２へのゲートウェイを提供する。図１Ａは、別のシステムとネットワークとの間の可能な全ての通信経路を例示している訳ではないことが注目される。
【００２１】
先ず、モバイル・デバイス１０２へ電源が投入された場合、モバイル・デバイス１０２は、セルラ・ネットワーク１０４または無線ＬＡＮ１１４の何れかへのアクセスを試みる。特定のネットワークにアクセスする決定は、具体的なアプリケーションおよび全体的な設計制約に関連する様々な要因に依存する。一例として、モバイル・デバイス１０２は、サービス品質が最低の閾値を満足する場合、無線ＬＡＮ１１４にアクセスするように構成されうる。モバイル電話通信およびデータ通信をサポートするために無線ＬＡＮ１１４が使用可能である限り、貴重なセルラ帯域幅が、他のモバイル・ユーザのために解放されうる。
【００２２】
モバイル・デバイス１０２は、アクセス・ポイント１１６から、あるいは、無線ＬＡＮのその他任意のアクセス・ポイントから、ビーコンを連続的に探索するように構成されうる。ビーコンは、同期情報をともなってアクセス・ポイント１１６によって送信される定期的な信号である。モバイル・デバイス１０２がビーコンを検知できないのであれば、位置Ａにおいてモバイル・デバイス１０２へ電源が投入されると、モバイル・デバイス１０２は、セルラ・ネットワーク１０４へのアクセスを試みる。モバイル・デバイス１０２は、ＢＴＳ１０８からパイロット信号を得ることによって、セルラ・ネットワーク１０４へアクセスすることができる。パイロット信号が一旦得られると、当該技術分野における周知の手段によって、モバイル・デバイス１０２とＢＴＳ１０８との間にラジオ接続が確立されうる。モバイル・デバイス１０２は、ＭＳＣ１１０に登録するために、ＢＴＳ１０８とのラジオ接続を用いることができる。登録は、モバイル・デバイス１０２がセルラ・ネットワーク１０４に自分の位置を知らせる処理である。登録処理が完了すると、モバイル・デバイス１０２またはＰＳＴＮ１１２によってコールがなされるまで、モバイル・デバイス１０２はアイドル状態に入ることができる。何れにせよ、コールのサポートおよびセット・アップを行うために、モバイル・デバイス１０２とＢＴＳ１０８との間にエア・トラフィック・リンクが確立される。
【００２３】
記述した実施形態では、モバイル・デバイス１０２が、セルラ・ネットワーク１０４内を位置Ａから位置Ｂへ移動する場合、アクセス・ポイント１１６からビーコンを検知することができる。一旦こうなると、当該技術分野で周知の手段によってこれら双方の間にラジオ接続が確立される。その後、モバイル・デバイス１０２は、サーバ１２０のＩＰアドレスを得る。モバイル・デバイス１０２は、サーバのＩＰアドレスを判定するために、領域・ネーム・サーバ（ＤＮＳ）のサービスを用いることができる。サーバ１２０の領域・ネームは、セルラ・ネットワーク１０４を介してモバイル・デバイス１０２に配信されうる。このＩＰアドレスを用いて、モバイル・デバイス１０２は、サーバ１２０とのネットワーク接続を確立することができる。
【００２４】
図１Ｂは、回路交換セルラ通信と無線ＬＡＮ通信との両方をサポートすることが可能なモバイル・デバイスの一例を示す機能ブロック図である。モバイル・デバイス１０２は、セルラ・トランシーバ１５２および無線ＬＡＮトランシーバ１５４を含むことができる。モバイル・デバイス１０２の少なくとも１つの実施形態では、セルラ・トランシーバ１５２は、ＢＴＳ（図示せず）とのＣＤＭＡ２０００  １ｘ通信をサポートすることができ、無線ＬＡＮトランシーバ１５４は、アクセス・ポイント（図示せず）とのＩＥＥＥ８０２．１１通信をサポートすることができる。しかしながら、当業者であれば、モバイル・デバイス１０２に関連して記述されたこれらの概念が、他のセルラ技術および無線ＬＡＮ技術へ拡張可能であることを容易に理解するだろう。トランシーバ１５２および１５４はそれぞれ、個別のアンテナ１５６および１５７を備えて示されている。しかしながら、トランシーバ１５２および１５４は、単一の広帯域アンテナを共有することができる。アンテナ１５６および１５７はそれぞれ、１または複数の放射素子を実装することができる。
【００２５】
モバイル・デバイス１０２はまた、トランシーバ１５２および１５４の両方に接続されたプロセッサ１５８を備えて示される。しかしながら、モバイル・デバイス１０２の代替実施形態では、各トランシーバのために個別のプロセッサが使用されうる。プロセッサ１５８は、ハードウェア、ファームウェア、ソフトウェア、あるいはこれらの任意の組み合わせで実現されうる。一例として、プロセッサ１５８は、マイクロプロセッサ（図示せず）を含むことができる。マイクロプロセッサは、（１）セルラ・ネットワークおよび無線ＬＡＮへのアクセスの制御および管理を行うことと、（２）プロセッサ１５８を、キーパッド１６０、ディスプレイ１６２、およびその他のユーザ・インタフェース（図示せず）へインタフェースすることとを行うソフトウェア・アプリケーションをサポートするために用いることができる。プロセッサ１５８はまた、例えば、畳み込み符合化、巡回冗長検査（ＣＲＣ）機能、変調、およびスペクトル拡散処理のような様々な信号処理機能をサポートする組込式ソフトウェア・レイヤを備えたデジタル信号プロセッサ（ＤＳＰ）（図示せず）をも含む。ＤＳＰはまた、電話アプリケーションをサポートするために、ボーコーダ機能を実行することもできる。プロセッサ１５８が実装される方式は、システム全体に課せられる設計制約および特定のアプリケーションに依存するだろう。当業者であれば、このような状況の下、ハードウェア構成、ファームウェア構成、およびソフトウェア構成が相互に置換可能であることと、説明した機能を各特定のアプリケーションについてどのようにして最良に実現することを理解するであろう。
【００２６】
当該技術分野において周知のある目的のために、アクセス・ポイントからの信号強度が、モバイル・デバイス１０２において、受信信号強度インジケータ（ＲＳＳＩ）ブロック１６６で測定される。ＲＳＳＩは、恐らくは、自動ゲイン制御のために、無線ＬＡＮトランシーバ１５２へ戻される既存の信号であり、モバイル・デバイス１０２の回路複雑さを増すことなく、プロセッサ１５８へ提供することができる。あるいは、ラジオ接続の品質は、ビーコン信号から判定される。
【００２７】
プロセッサ１５８は、ハンドオフ条件が存在するか時を検知するアルゴリズムを実行し、かつ、接続された別のシステムとの適切なシグナリングを開始するように構成されうる。このアルゴリズムは、既に説明したマイクロプロセッサ・ベースのアーキテクチャによってサポートされた１または複数のアプリケーションとして実施され、アクセス可能なメモリ１６１内に格納されうる。あるいは、このアルゴリズムは、プロセッサ１５８から離れているモジュールでありうる。このモジュールは、ハードウェア、ソフトウェア、ファームウェア、あるいはそれらの任意の組み合わせによって実現されうる。特定の設計制約によって、アルゴリズムは、モバイル・デバイス１０２内の任意のエンティティ内に統合されるか、あるいは、モバイル・デバイス１０２内の複数のエンティティにわたって分散されうる。
【００２８】
図２は、典型的な通信システム２００の概念ブロック図を示す。図２の詳細は、機能ブロックとして示され、様々な異なる方法で物理的に実装されうる。機能ブロックはそれぞれ、適切なソフトウェアを実行するための１または複数の個別のコンピュータ・ベースのプラットフォームでありうる。あるいは、それらは、同じコンピュータ・ベースのプラットフォーム上で実行するアプリケーションの論理機能でありうる。
【００２９】
システム２００は、モバイル・デバイス２３４、セルラ領域２０６、ＩＰマルチメディア・サブシステム（ＩＭＳ）領域２０４、およびインターネット２０２を含むことができる。例えば、モバイル・デバイス２３４は、図１Ａおよび図１Ｂに示すデバイス１０２でありうる。そして、セルラ領域２０６は、図１Ａに示すセルラ・ネットワークの構成要素に類似の構成要素を持つことができる。例えば、セルラ領域２０６は、ＢＴＳ２０８、ＢＳＣ２１０、ＭＳＣ２１２、ビジタ・ロケーション・レジスタ（ＶＬＲ）２１４、およびホーム・ロケーション・レジスタ（ＨＬＲ）を含むことができる。
【００３０】
ＩＭＳ領域２０４は、例えば、セッション開始プロトコル（ＳＩＰ）サーバおよびＳＩＰレジスタ（コール・セッション制御機能、ＣＳＣＦとして知られている）２２４のようなＩＰベースのサービスを提供するサーバ、ＭＧＣＦ（メディア・ゲートウェイ制御機能）２２６およびＭＧＷ（メディア・ゲートウェイ）２２８のようなレガシーＰＳＴＮネットワークとのインターワーキングを提供するサーバ、音声コール連続性アプリケーション・サーバ（ＶＣＣ  ＡＳ）２１８のようなＣＳセルラ・ネットワークとのインターワーキングを提供するサーバのような異なる機能を提供する多くの異なるサーバを含むことができる。ＶＣＣ  ＡＳはまた、コール連続性制御機能（ＶＣＣ  ＡＳ）とも称されうる。また、インターネット２０２によってモバイル・デバイス２３４に異なるサービスを提供する、複数のマルチメディア・アプリケーション・サーバ（図示しない）も含まれる。図２に示す特定のサーバは、本質において典型的であり、本開示の範囲から逸脱することなく、それより多いまたは少ないサーバが含まれうる。
【００３１】
一般に、ＩＭＳ領域２０４の１つの機能は、パケット交換ネットワークと回路交換ネットワーク２０６との間でシグナリングおよび音声通信のマッピングを行い、もって、これら２つの間の通信を可能にすることである。ＩＭＳ領域２０４は、例えば、モバイル・デバイス２３４のためにＳＩＰベースのネットワーク接続を提供することができる。セッション開始プロトコル（ＳＩＰ）は、ＩＰネットワークにおいてセッションを確立するために使用されるシグナリング・プロトコルである。セッションは、単純な２方式通話であるか、あるいは、協調的なマルチメディア・カンファレンス・セッションでありうる。これらのセッションを確立する能力は、例えば、音声に富んだｅコマース、ウェブ・ページ・クリック・ダイヤル、仲間リストを用いるインスタント・メッセージング、およびＩＰ  Ｃｅｎｔｒｅｘサービスのような革新的なサービスのホストが可能になることを意味する。図２によって例示されたその他幾つかの局面は、レガシー回路交換ネットワークにおいてホーム・ロケーション・レジスタ（ＨＬＲ）２１６と同じ機能を提供するホーム加入者サーバ（ＨＳＳ）２２２と、ＰＳＴＮ２２０とＩＭＳ領域２０４との間のコネクションとを含む。図２にはまた、ＭＳＣ２１２を介したＢＳＣ２１０とＶＣＣ  ＡＳ２１８との間の経路も示されている。無線ＬＡＮ側では、モバイル・デバイス２３４は、アクセス・ポイント２３２を用いて、ＩＭＳ領域２０４内のパケット・データ・インターワーキング機能（ＰＤＩＦ）２３０に達することができる。
【００３２】
特に、ＭＧＷ２２８は、ＩＰネットワークからのパケット・ストリームと、例えばＰＳＴＮ２２０のような音声回路交換ネットワークとの間で送信を変換する。したがって、音声は、パケット交換ネットワークおよびＭＧＷ２２８によってパケットで運ばれる。一方、ＭＧＷ２２８とＰＳＴＮ２２０との間の回路交換接続では、音声は、音声符合化通信回路によって運ばれる。ＭＧＣＦ２２６は、ＳＩＰシグナリングを終了させ、ＭＧＷ２２８の機能を制御するように動作することができる。この点において、ＭＧＣＦ２２６は、一般に、ＩＰセッションにおけるＳＩＰシグナリングと、回路交換セッションにおけるＳＳ７シグナリングとの間の変換を行う。
【００３３】
ＶＣＣ  ＡＳ２１８は、ある通信セッションをアンカーすることができる。ＶＣＣ  ＡＳは、ユーザが、セルラ・ネットワークとＷＬＡＮとの間を行き来する場合、コールの連続性を可能にするアプリケーションでありうる。それは、オペレータによって定義され、リアルタイムで適用されるポリシーに基づいて、自律的かつユーザによって導かれたハンドオーバをサポートする。ＶＣＣ  ＡＳは、ネットワーク・オペレータがその加入者に提供することができるサービスの一部でありうる。このサービスは、サービスとして自動的に含まれていることもできるし、ユーザが選択してその機能に対して追加料金を支払う加入者サービスでもありうる。例えば図１Ａにおけるようなマルチモード・ネットワークのオリジナル設計は、静的なアンカーを示している。すなわち、モバイル・デバイスが回路交換コールを開始するたびに（もしもそれらがＶＣＣサービスに対する加入者であれば）、そのコール・セッションが、例えばＷＬＡＮのようなパケット交換ネットワークへハンドオフされる必要があろうとなかろうと、コール開始時にコール・セッションがＶＣＣ  ＡＳにおいてアンカーされる。アンカーすることは、もし必要になれば、セッションを再開またはハンドオフするために十分な情報を格納するＶＣＣ  ＡＳを含む。一般に、そのような情報は、セッションに参加する２つのパーティのアイデンティティと、セッション中に利用されているサービスと、セッション中のコールおよびネットワークの状態を定義するのに役立つ任意の伝送特有情報とを含む。そのような静的なアンカーは、開始すると、コールが今まで実際にハンドオフを要求していたかに関わらず、全てのコールを自動的にアンカーする。従って、ＶＣＣ  ＡＳ２１８のリソースは、その機能を必要としないコールために使用することができる。更に、コールをアンカーする手順は、回路交換セッションのセット・アップに対して遅延を加える。これは、ユーザには気付かれない。
【００３４】
既知のシステムでは、ＣＳからＷＬＡＮへのハンドオフの場合、コール開始点において、ＶＣＣ  ＡＳ上の全てのＣＳコールをアンカーする試みがなされる。これは、ＣＳ／ＷＬＡＮデュアル・モード・モバイル・デバイスからの全てのＣＳコールが、ＷＬＡＮへハンドオフされるべきか否かに関わらず、ＶＣＣ  ＡＳにおいてアンカーされる必要があることを意味する。そのような静的なアンカー・スキームは非効率的である。なぜなら、それは、ＶＣＣ  ＡＳ上にリソース・オーバヘッドを課し、そのエンティティの複雑さを増すからである。
【００３５】
ある局面では、この動的なアンカーは、ハンドオフがモバイル・デバイスによって必要とされる場合にのみＶＣＣ  ＡＳを選択することによってこの問題を解決することを試みる。動的なアンカー・メカニズムは、ＣＳコールが、無線ＬＡＮによってＰＳコールへハンドオフされる必要があるとモバイル・デバイスが決めた場合に開始される。ＶＣＣ  ＡＳは、モバイル・デバイスによって必要であると思われる場合に限り、コール径路に加えられる。ハンドオフ処理は、ＭＳＣの既存の会議機能を利用することができる。
【００３６】
図３は、従来の静的なアンカー設計から著しく異なるセッションをアンカーする典型的な方法３００のフローチャートを示す。図３の方法３００に従って、必要な場合、動的ベースでアンカーが引き起こる。その結果、図２に示すＶＣＣ  ＡＳ２１８のシステム・リソースは、より効率的に使用される。モバイル・デバイスは、従来の音声電話コール等のような回路交換セッションを開始することができる（３０２）。しかしながら、このセッション中、モバイル・デバイスは、ハンドオフ条件が存在することを検知する（３０４）。現在のセッションを取り扱うためにパケット交換アクセス・ネットワークを利用することが可能であるとモバイル・デバイスが判定した場合、ハンドオフ条件が生じる。更に詳しくは、進行中の回路交換セッション中、モバイル・デバイスは、パケット交換ネットワークの有効範囲領域に入ったことと、このネットワークが、現在の回路交換セッションを取り扱うのに適していることとを判定することができる。当業者であれば、ハンドセットが、回路交換ネットワークにアクセスすることから、パケット交換ネットワークへアクセスすることへ切り換わるのに適切であるときを判定するための機能的に等価な多くの方法が存在することを認識するだろう。
【００３７】
ハンドオフ条件が存在することを判定する方法にかかわらず、そのような条件が検出された場合、モバイル・デバイスは、アクティブな回路交換セッションが、パケット交換ネットワークにアンカーされるべきであることを示すことができる（３０６）。例えば、モバイル・デバイスは、アクティブな回路交換セッションがＶＣＣ  ＡＳへアンカーされるべきであることを示すことができる。典型的な実施形態では、移動局は、トリガ信号をＶＣＣ  ＡＳへ送り、ハンドオフ条件が存在することを通知する。トリガ信号を受信することに応じて、ＶＣＣ  ＡＳは、セッションをアンカーするために必要な段階を講じることができる。オプションとして、回路交換セッションからパケット交換セッションへのハンドオフが実施されうる。
【００３８】
コールをアンカーするために、ＶＣＣ  ＡＳは、例えば、使用されているコーデックのようなセッション特性のみならず、コールに含まれるパーティ（例えば、アドレス）のような、コールの詳細を必要とする。コール・セット・アップにおいてコールがアンカーされる従来のアーキテクチャでは、ＶＣＣ  ＡＳが、この情報を、コール・セット・アップにおいて収集する。これを保証するために、コール・セット・アップ・シグナリングが、常にＶＣＣ  ＡＳを通ってルーティングされる。このシグナリングは、ＳＩＰシグナリングによってＶＣＣ  ＡＳへ中継される。この動的なアンカー・スキームの局面では、モバイル・デバイスは、ハンドオフ前にコールをアンカーし、ＶＣＣ  ＡＳとのシグナリングを実行して、コールをアンカーすることができる。モバイル・デバイスは、このシグナリングをＶＣＣ  ＡＳへ明示的に伝えるために様々な伝送を用いることができる。例えば、モバイル・デバイスは、ＳＩＰプロトコルや、例えばＳＭＳのようなセルラ・メッセージングや、例えばＤＴＭＦのような帯域内シグナリング等を用いることができる。あるいは、アンカーは、単にＶＣＣ  ＡＳへコールすることによって暗黙的に実行されうる。ＶＣＣ  ＡＳは、コール・セット・アップ中に使用されるコール元パーティ・アドレス・ダイヤル・ストリング等を検査することによって、必要な情報を導出することができる。
【００３９】
したがって、図３の方法３００を利用して、ハンドオフされるセッションのみが実際にアンカーされる。セッションがハンドオフ条件を経験しないのであれば、そのセッションはアンカーされない。静的なアンカー・スキームと比較して、セッションを動的にアンカーすることは、ＶＣＣ  ＡＳのリソースをより効率的に利用することができる。
【００４０】
図４は、動的なアンカー・セッションが引き起こる典型的なシステムを示す概略図である。１つの典型的な局面では、デュアル・モード（例えば、セルラ／ＷｉＦｉ）モバイル・デバイスあるいは移動局（ＭＳ）が、ＣＳコールを引き起こす場合、手順に変更はない。コール・フローは、ＣＳネットワークおよびＭＳＣを経由してＭＳからその他のエンド・ポイント（ＯＥＰ）まで同じままである。ＯＥＰは、別のモバイル・デバイス等でもありうる。ＶＣＣ  ＡＳは、デュアル・モードＭＳからの何れのＣＳコール発生にも気付かない。
【００４１】
動的なアンカー・メカニズムは、ＣＳコールがＷＬＡＮを介してパケット交換（ＰＳ）コールへハンドオーバされるべきであるとＭＳが判定した場合に起動される。この判定は、限定されないが、信号品質、ＷＷＡＮ上の負荷等を含む任意の多くの理由に基づきうる。このメカニズムは、そのようなハンドオフを引き起こすために使用されるアルゴリズムに依存しない。
【００４２】
第２のＣＳコールは、ＣＳネットワークおよびＭＳＣを経由して、ＭＳとＶＣＣ  ＡＳとの間でセット・アップされる。これは２つの方式でなされうるが、ある局面では、その他の方式もまた同様に利用可能である。これら２つの方式は、課金ポリシーに依存して挙動が異なる（例えば、発呼者がコールから離れると、カンファレンス・コールが途切れる）。ＭＳは、与えられたＶＣＣ  ＡＳ番号を用いて、ＶＣＣ  ＡＳへの第２のＣＳコールを開始することができる。あるいは、ＶＣＣ  ＡＳは、ＭＳへのＣＳコールを開始することができる。これは、ハンドオフが必要であることを知る方法をＶＣＣ  ＡＳが持っていると仮定している。これは、例えば、ＷＬＡＮインタフェースを介したＭＳからＶＣＣ  ＡＳへの信号によって達成されうる。
【００４３】
ＭＳは、この第２のＣＳコールを用いてオリジナルのＣＳコールをカンファレンスすることができる。これを達成するために、既存の３方式のコール機能を用いることができる。カンファレンスは、ＭＳＣによってホストされ、参加者としてＭＳ、ＶＣＣ  ＡＳ、およびＯＥＰを有する。すなわち、カンファレンスすることは、ＭＳＣを経由してＯＥＰとＶＣＣ  ＡＳとの間のメディア経路を確立する。
【００４４】
その後、ＭＳは、ＷＬＡＮインタフェースを介したＶＣＣ  ＡＳへのパケット・ベースの無線通信（例えば、ＶｏＩＰコール）を開始する。セッション開始プロトコル（ＳＩＰ）コールＩＤ、および恐らくは、別の特別なＳＩＰヘッダを用いて、ＶＣＣ  ＡＳは、ＶｏＩＰコールが、ＭＳ上のオリジナルの既存のＣＳコールと置き換わることを意図されることを認識する。ＳＩＰヘッダはまた、ＭＳおよびＯＥＰに接続されるカンファレンス・コール・レッグをＶＣＣ  ＡＳが識別できるようにすることができる。
【００４５】
ＶＣＣ  ＡＳは、既存のカンファレンスにＶｏＩＰコールを加える。この時点において、ＷＬＡＮ、ＶＣＣ  ＡＳ、およびＭＳＣを経由してＭＳとＯＥＰとの間で接続が確立される。
【００４６】
その後、ＭＳは、オリジナルのＣＳコールを途切れさせ、ＶＣＣ  ＡＳを経由してＯＥＰと通信し続けることができる。ＭＳがＣＳカンファレンス・コールの発信者であるか否かは、ＭＳがオリジナルのＣＳコールを途切れさせた後に何が起こるかを決定する。しばしば使用される課金ポリシーは、発呼者が途中で止めた場合に、カンファレンス・コールを終了することである。ＭＳが第２のＣＳコールを開始すると、ＭＳがこのコールを終了した場合、そのようなポリシーは、ＯＥＰとＶＣＣ  ＡＳとを切断する。一方、ＶＣＣ  ＡＳが第２のＣＳコールを開始すると、このコールを終了させるＭＳは、何の効果も持たない。
【００４７】
図５は、セッションを処理する典型的な方法５００のフローチャートである。方法５００は、図２に示すＶＣＣ  ＡＳ２１８によって実行されうる。ＶＣＣ  ＡＳ２１８は、プロセッサ（図示せず）と、このプロセッサに接続され、データを格納するためのメモリ（図示せず）とを含む。ＶＣＣ  ＡＳ２１８のプロセッサは、方法５００を実施するように構成されうる。アクティブな回路交換セッションが、パケット交換ネットワークへハンドオフされるべきであるという表示が受信される（５０２）。例えば、その表示は、ＶＣＣ  ＡＳによって受信されうる。アクティブな回路交換セッションは、パケット交換ネットワークへハンドオフされるようにアンカーされる（５０４）。例えば、アクティブな回路交換セッションは、ＶＣＣ  ＡＳによってアンカーされうる。ＶＣＣ  ＡＳは、パケット交換セッションを行うことができる（５０６）。このパケット交換セッションは、アクティブな回路交換セッションと置き換わるために使用することができる。パケット交換セッションは、セッション開始プロトコル（ＳＩＰ）コールＩＤまたは別のＳＩＰヘッダを用いて認識されうる。
【００４８】
開示された処理ステップの具体的な順序または階層は、典型的なアプローチの一例であることが理解される。設計優先度に基づいて、これら処理ステップの具体的な順序または階層は、本開示の範囲内であることを保ちながら並び替えられうることが理解される。それに伴う方法請求項は、様々なステップの要素をサンプル順で示しており、示された具体的な順序または階層に限定されるとは意味されない。
【００４９】
本明細書で開示された実施形態に関連して記述された様々な例示的な論理ブロック、モジュール、回路、要素、および／または構成要素は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア部品、又は上述された機能を実現するために設計された上記何れかの組み合わせを用いて実現又は実施されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、例えばＤＳＰとマイクロプロセッサとの組み合わせ、複数のマイクロプロセッサ、ＤＳＰコアに接続された１または複数のマイクロプロセッサ、またはその他任意のこのような構成である計算デバイスの組み合わせとして実現することも可能である。
【００５０】
本明細書で開示された実施形態に関連して記述された方法やアルゴリズムのステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは当該技術分野で知られているその他の型式の記憶媒体に収納されうる。コンピュータ読取可能媒体は、プロセッサがそこから情報を読み取り、またそこに情報を書き込むことができるようにプロセッサに結合される。または、記憶媒体はプロセッサに統合されることができる。
【００５１】
前述の記載は、当業者をして、本明細書に記載の様々な実施形態の実現を可能とするように提供される。これらの実施形態への様々な変形例もまた、当業者には明らかであって、本明細書で定義された一般的な原理は、他の実施形態にも適用されうる。このように、請求項は、本明細書で示された実施形態に限定されるものではなく、ここで、単数の要素に対する参照は、明示的に述べられていないのであれば「１および１のみ」を意味するのではなく、「１または複数」を意味することが意図されている特許請求の範囲の文言と整合した全ての範囲に相当することが意図されている。当業者に知られているか、後に知られるようになる本開示を通じて記載されている様々な実施形態の要素に対する全ての構造的および機能的な均等物が、参照によって本明細書に明確に組み込まれており、特許請求の範囲に含まれていることが意図される。更に、そのような開示が特許請求の範囲において明示的に記述されているかに関わらず、本明細書で示された何れも、公衆に放棄されることは意図されていない。要素が、「〜する手段」（means for）という文言を用いて、方法請求項の場合には「〜するステップ」（step for）という文言を用いて明示的に示されていないのであれば、いかなる請求項の要素も、３５Ｕ．Ｓ．Ｃ  １１２条第６パラグラフの条項の下で解釈されるべきではない。
【図面の簡単な説明】
【００５２】
【図１Ａ】図１Ａは、典型的な無線通信システムの概念ブロック図である。
【図１Ｂ】図１Ｂは、回路交換セルラ通信と無線ＬＡＮ通信との両方をサポートすることが可能なモバイル・デバイスの例を例示する機能ブロック図である。
【図２】図２は、典型的な通信システムの概念ブロック図である。
【図３】図３は、動的なアンカー・セッションの典型的な方法のフローチャートである。
【図４】図４は、動的なセッションが生じうる典型的なシステムを示す概略図である。
【図５】図５は、セッションを処理する典型的な方法のフローチャートである。
【図１Ａ】
2009534943.tif 000003
【図１Ｂ】
2009534943.tif 000004
【図２】
2009534943.tif 000005
【図３】
2009534943.tif 000006
【図４】
2009534943.tif 000007
【図５】
2009534943.tif 000008
【国際調査報告】
2009534943.tif 000009
2009534943.tif 000010
2009534943.tif 000011